(57)【要約】【課題】ペット用セーターは寒い季節にペットに着用させる衣服としては、たいへん適しているが、反面ペットの体毛が付着しやすく、しかもいったん付着した体毛は取りにくく、手入れに手間がかかるといった問題点がある。また、長期間使用すると、繊維の伸縮性が劣化し、伸びきってぶかぶかになり形が崩れ、着心地やファッション性が悪くなるといった問題点もある。【解決手段】そこで本発明では、ペットの背中から横腹に対応するセーター本体１の裏側１Ｒに、伸縮性の小さい平滑な布地６を重ねて固定し、セーター本体１とこの伸縮性の小さい平滑な布地６を積層に形成したペット用セーターを提案する。【選択図】図３
2008167720.tif 000002
【特許請求の範囲】
【請求項１】
ペットの背中から横腹に対応するセーター本体裏側に、伸縮性の小さい平滑な布地を重ねて固定し、セーター本体とこの伸縮性の小さい平滑な布地を積層に形成したことを特徴とするペット用セーター。
【請求項２】
伸縮性の小さい平滑な布地は、セーター本体裏側に、縫い付けて固定したことを特徴とする請求項１に記載のペット用セーター。
【請求項３】
伸縮性の小さい平滑な布地は、前あき型セーター本体裏側に、広く重ねて固定したことを特徴とする請求項１に記載のペット用セーター。
【請求項４】
伸縮性の小さい平滑な布地は、かぶり型セーター本体裏側に、狭く重ねて固定したことを特徴とする請求項１に記載のペット用セーター。
【発明の詳細な説明】
【技術分野】
【０００１】
本発明は、犬や猫等のペット（愛玩動物）に着用させるセーターに関するものである。
【背景技術】
【０００２】
散歩時に犬等のペットを寒さから守るといった実用的な目的にくわえ、ファッション性を追求することからも、近来、ペットに衣服を着用させる傾向がますます顕著になってきており、そのような衣服の一例としては例えば特許文献１、特許文献２、特許文献３に記載のものがある。
【０００３】
このような傾向のなかで、ペット用のセーターは伸縮性に富み着心地が良く、しかもファッション性にも優れているので、とくに冬季等の寒い季節に多用されている。
【特許文献１】特開２００４−７３０２０号公報
【特許文献２】特開２００５−１４３３５１号公報
【特許文献３】特開２００６−１１５７０８号公報
【発明の開示】
【発明が解決しようとする課題】
【０００４】
このようにペット用セーターは寒い季節にペットに着用させる衣服としては、たいへん適しているが、反面ペットの体毛が付着しやすく、しかもいったん付着した体毛は取りにくく、手入れに手間がかかるといった問題点がある。また、長期間使用すると、繊維の伸縮性が劣化し、伸びきってぶかぶかになり形が崩れ、着心地やファッション性が悪くなるといった問題点もある。
【課題を解決するための手段】
【０００５】
以上の課題を解決するために，本発明では、ペットの背中から横腹に対応するセーター本体裏側に、伸縮性の小さい平滑な布地を重ねて固定し、セーター本体とこの伸縮性の小さい平滑な布地を積層に形成したペット用セーターを提案する。
【０００６】
そして、本発明は上記構成において、伸縮性の小さい平滑な布地は、セーター本体裏側に、縫い付けて固定したペット用セーターを提案する。
【０００７】
また、本発明は上記構成において、伸縮性の小さい平滑な布地は、前あき型セーター本体裏側に、広く重ねて固定したペット用セーターを提案する。
【０００８】
また、本発明は上記構成において、伸縮性の小さい平滑な布地は、かぶり型セーター本体裏側に、狭く重ねて固定したペット用セーターを提案する。
【発明の効果】
【０００９】
本発明のペット用セーターは、例えばセーター本体を、伸縮性に富んだ毛糸等を編んで構成する。そして、このセーター本体の裏側の、ペットの背中から横腹に対応する部分に、伸縮性の小さい平滑な布地を重ねて、さらにこれを縫い付けて固定し、セーター本体とこの伸縮性の小さい平滑な布地を積層に形成したので、ペットの背中から横腹にかけての部位はこの平滑な布地に直接接触し、したがって体毛が付着しやすいセーター本体との直接接触を防ぐことができる。
【００１０】
ポリエステル繊維やレーヨン繊維、あるいはアセテート繊維等の布地は伸縮性が小さくしかも表面が平滑であり、ペットがこれに直接接触しても、体毛は付着しにくい。したがって、このような布地をセーター本体と積層に形成すれば、セーター全体におけるペットの体毛付着を抑えることができ、その結果、付着体毛を取り除く等の手入れを簡単にし得るという効果がある。
【００１１】
また、本発明では、セーター本体に伸縮性の小さい布地を重ねて固定し、セーター本体とこの布地を積層に形成しているので、この積層部分、すなわちペットの背中から横腹に対応するセーター本体部分においては、セーター本体の伸縮性を伸縮性の小さい布地が抑制する。しかし、腹部の伸縮性を阻害することはないので、セーター全体としての伸縮性は適度に保たれ、したがって着心地が良く着脱の容易なペット用セーターを構成できるという効果がある。
【００１２】
くわえて、ペットの背中から横腹に対応するセーター本体部分の余剰な伸縮性が小さくなり、したがってセーター全体における伸縮部分を、必要最小限に縮小できるので、この結果、長期間使用しても、伸びきってぶかぶかになるのを防ぐことができる。
【００１３】
また、セーター本体と積層に形成する布地は平滑であり、したがって雨、風を通しにくいので、登山用のヤッケ等と同様に、雨、風の強い悪天候下での使用に適したセーターを構成できる効果もある。
【００１４】
そして、セーター本体と積層に形成する布地は、セーター本体の裏側に固定するので、外観は通常のセーターとまったく変わらず、したっがてペットを可愛く着飾るファッション性を損なうことはない。
【００１５】
ペット用セーターには頭からすっぽりかぶって着用させる「かぶり型」と、カーディガンのようにボタンやファスナ等の開閉機構を腹部に取り付けて、この開閉機構により、腹部を開閉可能な構成とした「前あき型」がある。
【００１６】
「かぶり型」のペット用セーターにおいては、これをペットに着用させたり、あるいは脱がせたりするさい、充分な伸縮性が無いと着脱が困難である。したがってこのようなセーターにおいては、セーター本体と積層に形成する布地は、セーター本体裏側に、狭く重ねて固定すれば、セーター全体の伸縮性は充分な大きさを保てるので、着脱の容易なペット用セーターを構成することができる。
【００１７】
一方、「前あき型」のペット用セーターにおいては、ボタンやファスナ等の開閉機構により腹部を開閉して、これをペットに着用させたり、あるいは脱がせたりできるため、セーター全体の伸縮性をある程度抑えても、着脱に支障は無い。このようなセーターにおいては、セーター本体と積層に形成する布地は、セーター本体裏側に、広く重ねて固定すれば、セーター全体の伸縮性を適度に保つことができるので、したがって、手入れが簡単で着心地が良く、着脱も容易で、しかも長期間使用してもぶかぶかにならず、悪天候下での着用にも適したファッショナブルなペット用セーターを構成することができる。
【発明を実施するための最良の形態】
【００１８】
伸縮性に富んだ毛糸等を編んで構成したセーター本体裏側の、ペットの背中から横腹に対応する部分に重ねて固定しセーター本体と積層に形成する布地は、目が細かく表面が平滑で、しかも伸縮性の小さいポリエステル繊維やレーヨン繊維、あるいはアセテート繊維等で構成する。
【００１９】
この布地は、セーター本体裏側のペットの背中から横腹に対応する部分に対応させて裁断等で成形し、そしてセーター本体の裏側に重ねて、布地の周辺に沿ってミシン等で縫い付けて固定して、布地とセーター本体を積層に形成する。なお、布地の大きさは、セーター全体が適度な伸縮性を持つように、セーター本体裏側のペットの背中から横腹に対応する部分に比較して、「前あき型」の場合は大きめにして広くし、また「かぶり型」の場合は小さめにして狭くする。
【実施例１】
【００２０】
次に本発明の実施例を添付図面を参照して説明する。
図１〜図６は本発明に係る実施例を示すもので、図１は、本発明の「前あき型」ペット用セーター１（表側：１Ｆ、裏側：１Ｒ）をペット２に着せた状態の側面図的説明図で、ペット用セーター１の腹部に取り付けた開閉機構３により、ペット用セーター１の腹部を開閉して、ペット用セーター１をペット２に着せたり、脱がせたりする。ペット用セーター１にはペット２の前肢４を通すための挿通孔５を設けている。開閉機構３は例えばファスナやボタンで構成する。
【００２１】
図２は、図１のＢ方向から見た平面図的説明図であり、ペットの描画は省略してある。また、図３は図２の腹部開閉機構３を開いて展開状態にした図である。伸縮性の小さい平滑な布地６がセーター本体の裏側１Ｒに重ねて固定してあるので、図１に示すとおり、ペット用セーター１に着せている状態では、ペット用セーター１の外観は通常のセーターとまったく変わらない。
【００２２】
図３に示すように、布地６はその周辺に沿って、ミシンや手縫いにより、セーター本体の裏側１Ｒに縫い付けて固定し、セーター本体１と布地６を積層に形成している。符号７は縫い糸である。図４は、図１のＡ方向から見た平面図的説明図で、図３と同様に腹部の開閉機構３を開いて展開状態にした図である。
【００２３】
図５は図２に対応する「かぶり型」の実施例を示す平面図的説明図で、図１のＢ方向から見た図である。また、図６は図５のＣ−Ｄ線で仮想的に切断して展開した平面図的説明図である。図５、図６の実施例は「かぶり型」のため、開閉機構３は無く、ペット用セーター１はペット２の頭からかぶせて着用させ、そしてペット用セーター１をペット２の頭の方向に引き上げることにより、脱がせることができる。
【００２４】
「前あき型」の実施例である図３では、布地６はセーター本体の裏側１Ｒいっぱいに広く重ねて固定し、セーター本体１と積層に形成している。積層の面積が広いので、その分、ペット２の体毛はセーター本体１へ付着しにくくなるし、また雨や風も通しにくくなる。
さらに、広い積層部分はほとんど伸縮しないので、セーター１全体における余剰な伸縮性が小さくなり、したがって長期間使用しても形が崩れず、また適度の伸縮性により、セーター１の着心地は良好である。
なお、セーター１のペット２への着脱は、開閉機構３によって行えるので、セーター１全体の伸縮性が小さくなっても、まったく支障は無い。
【００２５】
一方、「かぶり型」の実施例である図６では、前記の「前あき型」と比較して、布地６はセーター本体の裏側１Ｒに狭く重ねて固定し、セーター本体１と積層に形成しているので、「前あき型」よりもセーター１全体の伸縮性は大きくなる。これは、「かぶり型」においては、「前あき型」のように開閉機構３が無く、ペット用セーター１はペット２の頭からかぶせて着用させ、そしてペット用セーター１をペット２の頭の方向に引き上げて脱がせるので、この着脱に支障が生じないよう、適度な伸縮性を持たせるためである。
【産業上の利用可能性】
【００２６】
人の心を和ませる犬や猫等のペットは、一般家庭はさることながら、ますます深刻化する高齢化のなかで、例えば老人福祉の分野における癒し的介護手段としてたいへん重要になってきている。また、子供の教育現場でもペットをさらに活用しようという傾向にある。
【００２７】
本発明のペット用セーターはこうしたペット達を寒さから守るといった実用的な機能にくわえ、通常のセーターのようにファッショナブルで着心地が良く着脱が容易であり、しかも手入れが簡単で、長期間の使用でも形が崩れず、悪天候下での使用にも適しているので、産業上の利用可能性はきわめて大である。
【図面の簡単な説明】
【００２８】
【図１】「前あき型」ペット用セーターをペットに着せた状態の側面図的説明図である。
【図２】図１のＢ方向から見た平面図的説明図（ペットの描画は省略）である。
【図３】図２の腹部の開閉機構３を開いて展開状態にした図である。
【図４】図１のＡ方向から見た平面図的説明図。図３と同様に腹部の開閉機構３を開いて展開状態にした平面図的説明図（ペットの描画は省略）である。
【図５】図２に対応する「かぶり型」の実施例を示す平面図的説明図で、図１のＢ方向から見た図である。
【図６】図５のＣ−Ｄ線で仮想的に切断して展開した平面図的説明図である。
【符号の説明】
【００２９】
１                本発明のペット用セーター
１Ｆ            本発明のペット用セーターの表側
１Ｒ            本発明のペット用セーターの裏側
２                ペット（犬、猫等）
３                開閉機構（ファスナ、ボタン等）
４                ペット２の前肢
５                ペット２の前肢４の挿通孔
６                布地
７                縫い糸
【図１】
2008167720.tif 000003
【図２】
2008167720.tif 000004
【図３】
2008167720.tif 000005
【図４】
2008167720.tif 000006
【図５】
2008167720.tif 000007
【図６】
2008167720.tif 000008